(57)【特許請求の範囲】
【請求項１】
上下に延びる柱と、この柱の側面に接合される梁とを備えた屋外構造体であって、
前記柱は、互いに上下に連結される上側柱材および下側柱材と、これらの柱材同士を連結する連結部材とを有して構成され、前記上側柱材および下側柱材は、それぞれ長尺かつ中空筒状断面を有するとともに、これら上側および下側の柱材に跨って中空内部に前記連結部材が挿入され、
前記梁は、長尺状の梁材と、この梁材の端部を前記上側および下側の柱材の少なくとも一方に固定する端部部材とを有して構成され、
前記端部部材と連結部材とは、前記少なくとも一方の柱材を貫通して当該連結部材に固着する固着具を介して連結され、
前記柱は、前後左右に隣り合って複数が立設されるとともに、これら複数の柱間に渡って前記梁が架設され、これらの梁には、バルコニー床面を構成する床材が支持されており、
前記複数の柱のうち、前記バルコニー床面の角部に位置する角柱には、互いに交差する二側面に前記梁が接合され、前記バルコニー床面の側端縁に位置する外柱には、互いに対向する二側面およびバルコニー床面側の一側面に前記梁が接合され、
前記角柱における上側および下側の柱材を連結する連結部材と、前記外柱における上側および下側の柱材を連結する連結部材とが共通部材で構成され、これらの連結部材の三側面において、固着具と固着する固着孔が同一位置に設けられ、
前記角柱において、上側柱材と前記下側柱材との連結位置は、前記互いに交差する二側面に接合される梁の梁材の高さ寸法範囲内に設けられ、これらの梁材の端部を固定する端部部材と前記連結部材とを連結する固着具は、前記上側および下側の柱材を貫通して設けられ、
前記外柱において、上側柱材と前記下側柱材との連結位置は、前記互いに対向する二側面に接合される梁の梁材の高さ寸法範囲内に設けられ、これらの梁材の端部を固定する端部部材と前記連結部材とを連結する固着具は、前記上側および下側の柱材を貫通して設けられ、前記バルコニー床面側の一側面に接合される梁の梁材の端部を固定する端部部材と前記連結部材とを連結する固着具は、前記下側の柱材を貫通して設けられている屋外構造体。
【請求項２】
前記梁材は、前記端部部材が挿入される中空筒状断面を有して形成され、この梁材と端部部材とは、当該梁材を貫通して当該端部部材に固着する梁固着具によって連結されている請求項１に記載の屋外構造体。
【発明の詳細な説明】
【技術分野】
【０００１】
本発明は、バルコニーやベランダ、カーポート、テラス、サンルーム、アプローチなどの屋外構造体に関する。
【背景技術】
【０００２】
従来、建物の屋外に設けられるバルコニーにおいて、柱（側柱）と梁（桁梁、妻梁）とを接合するための構造が提案されている（例えば、特許文献１参照）。
特許文献１に記載された柱梁の接合構造は、柱の中空内部に挿入される中骨と、柱の外側に嵌め込まれる環状のブラケットとを備え、このブラケット、柱の側面および中骨を貫通するボルトと中骨内部のナットとを螺合させることで、ブラケットが柱に固定される。そして、ブラケットの側面に設けた突起部に梁の端部を連結することで、柱と梁とが接合されるようになっている。
【０００３】
【特許文献１】実開昭５８−６８５０２号公報
【発明の開示】
【発明が解決しようとする課題】
【０００４】
しかしながら、従来の接合構造では、ブラケットを柱の外側に嵌め込んでいるため、柱の見付け寸法よりも大きなブラケットが露出することとなり、バルコニーの外観意匠性が低下してしまうという問題がある。
さらに、柱の長さ方向中間位置に梁を接合する場合には、柱の上下いずれかの端部から接合位置まで中骨を挿通させる必要があるとともに、この中骨にナットを保持させておかなくてはならず、接合位置での中骨の位置合わせや、ボルトとナットの締め付け作業に手間が掛かり、組立作業性が劣ってしまうという問題もある。
【０００５】
本発明の目的は、組立作業の作業効率を向上させるとともに外観意匠が良好にできる屋外構造体を提供することにある。
【課題を解決するための手段】
【０００６】
本発明の屋外構造体は、上下に延びる柱と、この柱の側面に接合される梁とを備えた屋外構造体であって、前記柱は、互いに上下に連結される上側柱材および下側柱材と、これらの柱材同士を連結する連結部材とを有して構成され、前記上側柱材および下側柱材は、それぞれ長尺かつ中空筒状断面を有するとともに、これら上側および下側の柱材に跨って中空内部に前記連結部材が挿入され、前記梁は、長尺状の梁材と、この梁材の端部を前記上側および下側の柱材の少なくとも一方に固定する端部部材とを有して構成され、前記端部部材と連結部材とは、前記少なくとも一方の柱材を貫通して当該連結部材に固着する固着具を介して連結され、前記柱は、前後左右に隣り合って複数が立設されるとともに、これら複数の柱間に渡って前記梁が架設され、これらの梁には、バルコニー床面を構成する床材が支持されており、前記複数の柱のうち、前記バルコニー床面の角部に位置する角柱には、互いに交差する二側面に前記梁が接合され、前記バルコニー床面の側端縁に位置する外柱には、互いに対向する二側面およびバルコニー床面側の一側面に前記梁が接合され、前記角柱における上側および下側の柱材を連結する連結部材と、前記外柱における上側および下側の柱材を連結する連結部材とが共通部材で構成され、これらの連結部材の三側面において、固着具と固着する固着孔が同一位置に設けられ、前記角柱において、上側柱材と前記下側柱材との連結位置は、前記互いに交差する二側面に接合される梁の梁材の高さ寸法範囲内に設けられ、これらの梁材の端部を固定する端部部材と前記連結部材とを連結する固着具は、前記上側および下側の柱材を貫通して設けられ、前記外柱において、上側柱材と前記下側柱材との連結位置は、前記互いに対向する二側面に接合される梁の梁材の高さ寸法範囲内に設けられ、これらの梁材の端部を固定する端部部材と前記連結部材とを連結する固着具は、前記上側および下側の柱材を貫通して設けられ、前記バルコニー床面側の一側面に接合される梁の梁材の端部を固定する端部部材と前記連結部材とを連結する固着具は、前記下側の柱材を貫通して設けられていることを特徴とする。
【０００７】
以上の本発明によれば、上側柱材と下側柱材とに分けて柱を構成し、これら上側および下側の柱材を連結部材で連結することで、この連結位置における各柱材の端部に連結部材を挿入すればよく、柱材における中空内部の深い位置まで連結部材を挿通させる必要がないことから、接合作業が容易になって作業性を向上させることができる。さらに、柱材を上下に分割したことで、上下一体の柱材で構成した場合と比較して、柱の製造効率や運搬効率が向上できる。また、梁の端部部材が固着具を介して連結部材に連結される、つまり柱材の連結位置の近傍に端部部材が位置して梁が接合されることで、梁材によって柱材同士の継ぎ目や端部部材を覆い隠すことができ、柱梁接合部の外観意匠を良好にすることが
できる。さらに、梁の端部部材と柱の連結部材とを、柱材を貫通する固着具で連結することで、端部部材および連結部材をそれぞれ個別の固着具で柱材に連結する場合と比較して、固着具の部品点数および組立作業の工数が削減できるとともに、固着具同士の干渉が防止できることから、接合部の寸法を小型化して意匠性をさらに向上させることができる。
また、従来のブラケットは、柱に嵌め込まれる環状部と梁を固定する突起部とが一体に形成されているため、鋳造（アルミダイカストなど）で製造するか、各部を溶接接合するなど、製造にかかる手間とコストが大きかったのに対し、本発明では、固着具を介して端部部材を連結部材に連結したことで、端部部材や連結部材の構造を簡単にでき、これらの部材を例えば押し出し形材等で製造することが可能になって、製造手間や製造コストを低減させることができる。
さらに、上側および下側の柱材を貫通する固着具で端部部材と連結部材とを連結することで、固着具の部品点数および組立作業の工数がさらに削減できるとともに、上側および下側の柱材同士の継ぎ目がより目立たなくできて柱梁接合部の外観が一層良好にできる。
また、角柱と外柱とにおいて、固着孔を同一位置に設けた共通仕様の連結部材で上側および下側の柱材を連結することで、部品点数の増加を防止することができるとともに、組立作業の際に部品選択の手間を低減して作業性を向上させることができる。すなわち、梁が三方から接合する外柱用の連結部材では、固着孔が三側面に設けられることとなり、梁が二方から接合する角柱用の連結部材では、固着孔を二側面に設けておけばよいのであるが、角柱用の連結部材としても固着孔が三側面に設けられた外柱と共通の連結部材を用いることで、部材を共通化することができる。
さらに、角柱および外柱において、バルコニー床面側以外の側面、つまりバルコニーの外部から見える側面に接合される外周の梁の端部部材を、上側および下側の柱材を貫通する固着具で連結部材に連結することで、上側および下側の柱材同士の継ぎ目が目立たなくできて屋外構造体の外観が一層良好にできる。一方、外柱において、バルコニー床面側の側面に接合される梁の端部部材を、下側の柱材のみを貫通する固着具で連結部材に連結することで、この梁の上端を外周の梁よりも低く位置させて、この梁の上側に支持した床材と外周の梁との納まりが良好にできる。
なお、本発明の屋外構造体としては、バルコニーやベランダ、カーポート屋根、テラス屋根、サンルーム、アプローチの屋根や庇など、少なくとも柱と梁とを備えたものであればよく、その用途や設置場所等は特に限定されない。
【０００８】
この際、本発明の屋外構造体では、前記梁材は、前記端部部材が挿入される中空筒状断面を有して形成され、この梁材と端部部材とは、当該梁材を貫通して当該端部部材に固着する梁固着具によって連結されていることが好ましい。
このような構成によれば、梁材の中空内部に端部部材を挿入し、梁材を貫通する梁固着具で梁材と端部部材とを連結することで、端部部材を梁材によって隠蔽することができるとともに、端部部材と連結部材を連結する固着具も梁材で覆い隠すことができ、柱梁接合部の意匠性をより一層向上させることができる。
【発明を実施するための最良の形態】
【００１３】
以下、本発明の実施形態を図面に基づいて説明する。
図１は、本発明の実施形態に係る屋外構造体であるバルコニー１の骨組み２を示す斜視図である。図２および図３は、それぞれバルコニー１の一部を拡大して示す縦断面図および横断面図である。
図１〜図３において、バルコニー１は、図示しない建物の屋外に設置され、１階部分がカーポート等に利用されるものであって、地中の基礎から立設される複数の柱３、２階レベルに設けられる複数の梁４、および屋根レベルに設けられる複数の頂部梁５を組み合わせた骨組み２と、梁４で囲まれた内部に支持された複数のデッキ材（床材）６とを備えて構成されている。また、梁４で囲まれた内部には、梁４同士に渡って架設される副梁７や、交差する梁同士４に架設される火打８が設けられている。そして、デッキ材６は、梁４の側面に設けられた受け材９（図２参照）や副梁７で支持され、これら複数のデッキ材６によってバルコニー床（バルコニー床面）６Ａが構成されている。
【００１４】
柱３は、基礎から屋根レベルに渡って上下に延びて設けられ、バルコニー床６Ａの高さレベルにおいて互いに上下に連結される上側柱材３１および下側柱材３２と、これら上側および下側の柱材３１，３２同士を連結する連結部材であるスリーブ材３３とを有して構成されている。上側および下側の柱材３１，３２は、図３に示すように、それぞれアルミ形材製であって、全体長尺状でかつ断面中空角筒状に形成され、この中空内部にスリーブ材３３が挿入されるようになっている。スリーブ材３３は、アルミ形材製の短尺状かつ断面略角筒状の部材であって、上側および下側の柱材３１，３２に跨って設置され、その外周面には、上側および下側の柱材３１，３２の内面に当接する複数の突片が上下に延びて形成されている。そして、本実施形態において、柱３は、平面矩形状となるように４本が配置され、４本のうち建物側（図１の上側かつ左側）の２本がバルコニー床６Ａの側端縁に位置する外柱３Ａであり、建物と反対側（図１の下側かつ右側）の他の２本がバルコニー床６Ａの角部に位置する角柱３Ｂである。
【００１５】
梁４は、柱３同士の間および柱３と建物との間に架設され、アルミ形材製で長尺状の梁材４１と、この梁材４１の上下に取り付けられる端面カバー４２と、梁材４１の左右端部を柱３に固定する端部部材であるブラケット４３とを有して構成されている。梁材４１は、断面中空角筒状に形成され、この中空内部にブラケット４３が挿入されるとともに、梁材４１を上下から貫通する梁固着具であるボルト４４をブラケット４３に螺合することで、梁材４１とブラケット４３とが連結されている。そして、ブラケット４３および上側および下側の柱材３１，３２を貫通する固着具であるボルト４５をスリーブ材３３に螺合することで、当該ブラケット４３とスリーブ材３３とが連結されるとともに、スリーブ材３３を介して上側柱材３１と下側柱材３２とが連結され、これにより柱３と梁４とが互いに接合されるようになっている。
【００１６】
また、本実施形態において、梁４は、図１に示すように、角柱３Ｂ同士の間に架設される第１外梁４Ａと、角柱３Ｂと外柱３Ａとの間に架設される第２外梁４Ｂと、外柱３Ａと建物との間に架設される第３外梁４Ｃと、外柱３Ａ同士の間に架設される第１内梁４Ｄとを有して構成されている。すなわち、角柱３Ｂには、互いに交差する二側面に第１外梁４Ａおよび第２外梁４Ｂが接合され、外柱３Ａには、互いに対向する二側面に第２外梁４Ｂおよび第３外梁４Ｃが接合されるとともに、バルコニー床６Ａ側の一側面（内側面）に第１内梁４Ｄが接合されている。そして、角柱３Ｂにおいて、上側柱材３１と下側柱材３２との連結位置は、第１外梁４Ａおよび第２外梁４Ｂの梁材４１の高さ寸法範囲内に設けられ、外柱３Ａにおいて、上側柱材３１と下側柱材３２との連結位置は、第２外梁４Ｂおよび第３外梁４Ｃの梁材４１の高さ寸法範囲内に設けられている。一方、第１内梁４Ｄの上面位置は、デッキ材６の厚さ寸法に応じた分だけ第１〜第３の外梁４Ａ，４Ｂ，４Ｃよりも低く設けられ、つまり第１内梁４Ｄの高さ寸法が小さく設定されている。
【００１７】
以下、角柱３Ｂにおける柱３と梁４との接合構造および接合手順について、図４〜図７も参照して説明する。図４〜図７は、それぞれ角柱３Ｂと梁４との接合手順を示す斜視図である。
図４に示すように、下側柱材３２が立設された状態において、下側柱材３２の頂部から中空内部にスリーブ材３３を挿入するとともに、角柱３Ｂにおいて梁４が接合される二側面にブラケット４３をセットし、ブラケット４３および下側柱材３２に貫通させたボルト４５をスリーブ材３３に螺合する。これにより下側柱材３２、スリーブ材３３およびブラケット４３が固定される。ここで、ブラケット４３は、上側アングル部４３Ａおよび下側アングル部４３Ｂと、これら上側および下側のアングル部４３Ａ，４３Ｂを連結する連結板４３Ｃとを有して構成され、上側および下側のアングル部４３Ａ，４３Ｂには、ボルト４４，４５を挿通させる複数のボルト孔が設けられている。一方、スリーブ材３３には、上側アングル部４３Ａのボルト孔を貫通したボルト４５（図５参照）と固着する固着孔３３Ａと、下側アングル部４３Ｂのボルト孔を貫通したボルト４５と固着する固着孔３３Ｂと、後述する副ブラケット４７を貫通したボルト４８と固着する固着孔３３Ｃとが設けられている。
【００１８】
次に、図５に示すように、下側柱材３２に固定したスリーブ材３３の上方から上側柱材３１を下ろして、その下端部から中空内部にスリーブ材３３を挿入するとともに、ブラケット４３の上側アングル部４３Ａおよび上側柱材３１に貫通させたボルト４５をスリーブ材３３の固着孔３３Ａ（図４参照）に螺合する。これにより上側柱材３１、スリーブ材３３およびブラケット４３が固定され、従って、上側および下側の柱材３１，３２がスリーブ材３３を介して連結され、この角柱３Ｂの二側面にブラケット４３が固定されることとなる。なお、上側柱材３１の頂部には、頂部梁５を接合するための頂部ブラケット５１が図示しない裏板を介して取り付けられるとともに、上側柱材３１の上端部開口を塞ぐ蓋材３４が固定されている。
【００１９】
次に、図６に示すように、第１外梁４Ａおよび第２外梁４Ｂの梁材４１端部に、それぞれブラケット４３を挿通させ、梁材４１を上方から貫通させたボルト４４をブラケット４３の上側アングル部４３Ａに螺合するとともに、梁材４１を下方から貫通させたボルト４４をブラケット４３の下側アングル部４３Ｂに螺合する。これにより梁材４１およびブラケット４３が固定され、従って、角柱３Ｂの二側面にそれぞれ第１外梁４Ａおよび第２外梁４Ｂが接合されることとなる。なお、梁材４１をブラケット４３に固定する際には、梁材４１とブラケット４３の上側および下側のアングル部４３Ａ，４３Ｂとをビス４６で仮止めしておき、バルコニー１の骨組み２全体の位置や傾きを調整してからボルト４４を本締めする。
このように梁材４１を角柱３Ｂに接合してから、図７に示すように、梁材４１の上下に端面カバー４２を取り付け、これにより角柱３Ｂと第１外梁４Ａおよび第２外梁４Ｂとの接合作業が完了する。
【００２０】
次に、外柱３Ａにおける柱３と梁４との接合構造および接合手順について、図８も参照して説明する。図８は、外柱３Ａと梁４との接合構造を示す斜視図である。
図８に示すように、下側柱材３２の頂部から中空内部にスリーブ材３３を挿入するとともに、外柱３Ａにおいて第２および第３の外梁４Ｂ，４Ｃが接合される互いに対向する二側面にブラケット４３をセットし、ブラケット４３および下側柱材３２に貫通させたボルト４５をスリーブ材３３に螺合する。さらに、外柱３Ａにおける第１内梁４Ｄが接合される一側面に２つの副ブラケット４７をセットし、副ブラケット４７および下側柱材３２に貫通させたボルト４８をスリーブ材３３の固着孔３３Ｃに螺合する。この副ブラケット４７は、第１内梁４Ｄの端部を外柱３Ａに連結させるもので、下側柱材３２に固定されるものの上側柱材３１には固定されないようになっている。この後、前述の角柱３Ｂと同様に、上側柱材３１とスリーブ材３３およびブラケット４３を固定し、上側および下側の柱材３１，３２を連結する。そして、第２および第３の外梁４Ｂ，４Ｃの梁材４１をブラケット４３に固定するとともに、第１内梁４Ｄを副ブラケット４７に固定し、これにより外柱３Ａと、三方向の梁４（第２および第３の外梁４Ｂ，４Ｃ、第１内梁４Ｄ）とが接合される。
【００２１】
以上において、外柱３Ａに用いられるスリーブ材３３と角柱３Ｂに用いられるスリーブ材３３とは、ともに共通仕様の部材から構成されている。すなわち、スリーブ材３３には、三方向からの梁４を固定するブラケット４３および副ブラケット４７に対応した三側面に前記固着孔３３Ａ，３３Ｂ，３３Ｃが形成されている。具体的には、図８に示すように、柱３の対向する側面に固定される一対のブラケット４３に対応したスリーブ材３３の対向する二側面（第１側面３３１および第２側面３３２）には、固着孔３３Ａおよび固着孔３３Ｂが上下に離隔した所定位置に設けられている。そして、第１および第２の側面３３１，３３２と交差する一側面（第１内梁４Ｄが接合される側の面であり、第３側面３３３）には、上下に離隔した所定位置の固着孔３３Ａおよび固着孔３３Ｂと併せ、固着孔３３Ｂの上下に並んで固着孔３３Ｃが設けられている。
【００２２】
従って、外柱３Ａにおいては、第１および第２の側面３３１，３３２の固着孔３３Ａおよび固着孔３３Ｂに、それぞれブラケット４３を固定するボルト４５が螺合され、第３側面３３３の固着孔３３Ｃに、副ブラケット４７を固定するボルト４８が螺合されるものの、第３側面３３３の固着孔３３Ａおよび固着孔３３Ｂにはボルトが螺合されず、これらの固着孔３３Ａ，３３Ｂは、利用されないものとなっている。一方、図４に示すように、角柱３Ｂにおいては、第１側面３３１の固着孔３３Ａおよび固着孔３３Ｂに、ブラケット４３を固定するボルト４５が螺合され、第３側面３３３の固着孔３３Ａおよび固着孔３３Ｂに、交差するブラケット４３を固定するボルト４５が螺合されるものの、第２側面３３２の固着孔３３Ａ，３３Ｂおよび第３側面３３３の固着孔３３Ｃにはボルトが螺合されず、これらの固着孔３３Ａ，３３Ｂ，３３Ｃは、利用されないものとなっている。以上のような共通仕様のスリーブ材３３によれば、スリーブ材３３を回転させて適切な側面３３１，３３２，３３３を選択するだけで、柱３と梁４との接合パターンおよび接合方法に対応することができ、複数種類のスリーブ材３３を準備したり、現場で固着孔３３Ａ，３３Ｂ，３３Ｃの加工をしたりする必要がなくなり、作業性が向上できるようになっている。
【００２３】
このような本実施形態によれば、以下のような効果がある。
（１）すなわち、柱３が上側柱材３１と下側柱材３２とに分割されているので、上下が連続した一本の柱材で構成する場合と比較して、柱材３１，３２の製造効率や運搬効率が向上できるとともに、この分割位置で上側および下側の柱材３１，３２をスリーブ材３３で連結することで、スリーブ材３３の挿入やボルト４５の固着などの接合作業が容易にできて作業性を向上させることができる。
【００２４】
（２）また、上側および下側の柱材３１，３２の連結位置を跨いで梁４が接合されることで、梁材４１によって柱材３１，３２同士の継ぎ目を覆い隠すことができ、柱梁接合部の外観意匠を良好にすることができる。さらに、梁材４１の中空内部にブラケット４３を挿入して梁４を接合することで、ブラケット４３を梁材４１によって隠蔽することができるとともに、ブラケット４３と柱材３１，３２およびスリーブ材３３を連結するボルト４５も梁材４１で覆い隠すことができ、柱梁接合部の意匠性をより一層向上させることができる。
【００２５】
（３）また、梁４のブラケット４３と柱３のスリーブ材３３とが、上側および下側の柱材３１，３２をそれぞれ貫通するボルト４５で連結されている。すなわち、上側および下側の柱材３１，３２同士をスリーブ材３３で連結するための連結用ボルトと、ブラケット４３を柱材３１，３２に固定するための固定用ボルトとが、ボルト４５によって兼用されているので、ボルトの部品点数および組立作業の工数が削減できるとともに、ボルト同士の干渉が防止できることから、接合部の寸法を小型化して意匠性をさらに向上させることができる。
【００２６】
（４）また、外柱３Ａと角柱３Ｂとにおいて、上側および下側の柱材３１，３２同士を連結するスリーブ材３３が共通化されている、すなわち各スリーブ材３３の第１〜第３の側面３３１，３３２，３３３において、それぞれ同一位置に固着孔３３Ａ，３３Ｂ，３３Ｃが設けられているので、部品点数を減少させることができるとともに、組立作業の際に部品選択の手間を低減して作業性を向上させることができる。また、外柱３Ａにおいて、第２および第３の外梁４Ｂ，４Ｃがブラケット４３を介して上側および下側の柱材３１，３２に接合され、第１内梁４Ｄが副ブラケット４７を介して下側柱材３２に接合されているので、柱梁接合部の接合強度を確保しつつ、デッキ材６を受ける第１内梁４Ｄの高さを下げることができ、第１内梁４Ｄの上側に支持したデッキ材６と第２および第３の外梁４Ｂ，４Ｃとを外観良好に納めることができる。
【００２７】
なお、本発明は、前記実施形態に限定されるものではなく、本発明の目的が達成できる他の構成等を含み、以下に示すような変形等も本発明に含まれる。
例えば、前記実施形態においては、建物の屋外に設置されるバルコニー１について説明したが、本発明の屋外構造体としては、バルコニー１に限らず、屋外に設置されるカーポートやテラスやサンルーム、アプローチ等の屋根などに利用されるものであってもよい。その際、柱に接合される梁の設置レベルとしては、カーポート等の屋根の高さ位置に合わせて設けられ、この梁に屋根面材等が支持されることが好ましい。
また、前記実施形態では、４本の柱３を平面矩形状となるように配置したが、柱３の本数や配列形態は特に限定されず、３本以上の柱が一直線状に並んで配置されていてもよい。
また、前記実施形態では、外柱３Ａに２本の外梁４Ｂ，４Ｃと１本の内梁４Ｄとが接合されていたが、外柱に３本の外梁が接合されてもよい。すなわち、上側および下側の柱材３１，３２に固定される前記ブラケット４３を介して３本の外梁が外柱に接合されていてもよく、この場合でも前記スリーブ材３３を兼用することができる。
【００２８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２９】
【図１】本発明の実施形態に係る屋外構造体の骨組みを示す斜視図である。
【図２】前記屋外構造体の一部を拡大して示す縦断面図である。
【図３】前記屋外構造体の一部を拡大して示す横断面図である。
【図４】前記屋外構造体における柱梁接合部の接合手順を示す斜視図である。
【図５】前記接合手順を示す斜視図である。
【図６】前記接合手順を示す斜視図である。
【図７】前記接合手順を示す斜視図である。
【図８】前記屋外構造体の他の柱梁接合部における接合手順を示す斜視図である。
【符号の説明】
【００３０】
１…バルコニー（屋外構造体）、３…柱、３Ａ…外柱、３Ｂ…角柱、４…梁、６…デッキ材（床材）、６Ａ…バルコニー床（バルコニー床面）、３１…上側柱材、３２…下側柱材、３３…スリーブ材（連結部材）、３３Ａ，３３Ｂ，３３Ｃ…固着孔、４１…梁材、４３…ブラケット（端部部材）、４４，４８…ボルト（梁固着具）、４５…ボルト（固着具）、４７…副ブラケット（端部部材）。
【図１】
0004988631.tif 000002
【図２】
0004988631.tif 000003
【図３】
0004988631.tif 000004
【図４】
0004988631.tif 000005
【図５】
0004988631.tif 000006
【図６】
0004988631.tif 000007
【図７】
0004988631.tif 000008
【図８】
0004988631.tif 000009